(57)【要約】  異なる特徴を有するボルト（７および７ａ）と、ボルトを操作するための少なくとも１つのツール（３）とからなる機構を必須の特徴とする装置を含むセキュリティ暗号装置。ボルト（７および７ａ）の特徴に応じて、ボルト（７および７ａ）は、１つ以上方向および／または一方または両方の向きに動作することができ、自動的におよび／または操作されてロックすることができ、個別にまたは一緒に操作することができる。装置の特徴に応じて、ボルトを操作するためのすべてのツール（３）がすべてのボルト（７および７ａ）と整合する必要はなく、すべてのボルト（７および７ａ）がすべての空洞（５）と整合する必要はない。このことは、どのボルト（７および７ａ）がそれぞれの空洞（５）と整合するか、どのツール（３）がそれぞれのボルト（７および７ａ）と整合するか、およびそれぞれのボルト（７および７ａ）を操作すべきか否かを知る必要があることを意味する。
2011511181.tif 000002
【特許請求の範囲】
【請求項１】
複数のボディにあけられた複数の空洞（５）と、ボディをブロックする複数のラッチ（７および７ａ）と、前記ラッチ（３）を活動化する器具とを備え、前記複数のラッチのうちの一部が異なる特性を有している暗号セキュリティ装置であって、それらの特性に応じて、前記ラッチ（７および７ａ）が、１つ以上の方向および／または一方若しくは両方の向きに作用することができ、自動的におよび／または活動化されたときにブロックすることができることを特徴とする暗号セキュリティ装置。
【請求項２】
前記ラッチがそれぞれ、それらの特徴に応じて、
休止状態にある間、１つの向きにブロックし、前記ラッチが活動化されたときに、この唯一の可能な向きにアンブロックし（図４）、
休止している間、両方の向きにブロックし、一方の向きに活動化し、または両方の向きに同時に活動化することができ、相関的にアンブロックすることができ（図６）、
休止している間、両方の向きにブロックし、両方の向きに活動化することができるが、同時に活動化することはできず、相関的に、１つの向きまたは別の向きにアンブロックすることができるが、両方の向きにはアンブロックすることができず（図８）、
休止している間、１つの向きにブロックし、活動化された後、アンブロックするが、相関的に反対の向きにブロックし（図１０）、
休止している間、両方の向きにブロックし、一方の向きに活動化し、または両方の向きに同時に活動化することができ、相関的にアンブロックすることができるが、一方の向きにアンブロックしているときに、反対の向きにブロックし（図１２）、
休止状態にあるときにブロックせず、唯一の可能な向きに活動化されたときにブロックし（図１４）、
休止している間、ブロックせず、一方の向きに活動化し、または両方の向きに同時に活動化することができ、相関的にブロックすることができ（図１７）、
休止している間、ブロックせず、１つの向きまたは別の向きに活動化し、ブロックすることができるが、両方の向きには活動化し、ブロックすることができず（図１９）、
休止しているとき、１つの唯一の向きにブロックし、一方の向きに動作させ、または両方の向きに同時に動作させることができ、一方の向きにアンブロックし、もう一方の向きにブロックし（図２１）、
休止している間、両方の向きにブロックし、一方の向きに活動化し、または両方の向きに同時に活動化することができ、一方の向きではアンブロックし、反対の向きでは相関的にブロックし、もう一方の方向ではアンブロックするだけである（図２３）
ことを特徴とする、請求項１に記載の暗号セキュリティ装置。
【請求項３】
可能な任意の方向および／または向きに活動化されたときに１つ以上の方向および／または１つ以上の向きに作用するタイプのラッチ（図２５）が、それらの特性に応じて、残りの方向および／または向きのうちの１つの方向または向きに相関的にブロックする（図２６）ことを特徴とする、請求項１および２に記載の暗号セキュリティ装置。
【請求項４】
ラッチ（３）を活動化するために使用されるすべての器具が、すべてのラッチ（７および７ａ）と整合しなくてもよいことを特徴とする、請求項１、２および３に記載の暗号セキュリティ装置。
【請求項５】
すべてのラッチ（７および７ａ）がすべての空洞（５）と整合しなくてもよいことを特徴とする、請求項１、２、３および４に記載の暗号セキュリティ装置。
【請求項６】
ラッチ（３）を活動化するために使用される前記器具が、異なる方向および／または向きに変位することができる可動部品（９）を含むことができることを特徴とする、請求項１、２、３、４および５に記載の暗号セキュリティ装置。
【請求項７】
ラッチ（３）を活動化するために使用される前記器具が、それらの特性に応じて、
前記ラッチ（３）が活動化する向きとは反対の向きにブロックすることができ（図１５）、
前記ラッチ（３）が活動化する向きとは反対の向きにブロックしないことができる（図１６）
ことを特徴とする、請求項１、２、３、４、５および６に記載の暗号セキュリティ装置。
【請求項８】
ラッチ（３）を活動化するために使用される器具が、それらの特性に応じて、
ラッチ（３）を個別に活動化することができ、
ラッチを一緒に活動化することができる（図２８および２９）
ことを特徴とする、請求項１、２、３、４、５、６および７に記載の暗号セキュリティ装置。
【発明の詳細な説明】
【技術分野】
【０００１】
本発明は、機械式パズル、論理ゲーム、錠、南京錠、貸金庫、金庫および暗号手法の技術分野に関する。
【背景技術】
【０００２】
現在、錠、南京錠、貸金庫、金庫、Ｃｒｙｐｔｅｘと呼ばれるシリンダ形暗号装置など、いくつかの暗号装置およびセキュリティ・システムがある。ダン・ブラウン（Ｄａｎ  Ｂｒｏｗｎ）は、その著書「ダヴィンチ・コード（Ｔｈｅ  Ｄａ  Ｖｉｎｃｉ  Ｃｏｄｅ）」の中で、Ｃｒｙｐｔｅｘの発明を、レオナルド・ダヴィンチ（Ｌｅｏｎａｒｄｏ  Ｄａ  Ｖｉｎｃｉ）によるものだとし、そのことを、「．．．、薄いパピルス紙に情報が書き込まれたあらゆるタイプの文書を入れることができる携帯可能な容器であって、パスワードを知っている者だけがアクセスすることができる容器。その中の文書にアクセスするためには、２６の文字をそれぞれが含む５枚の円板を正しい配列で並べなければならない。すると内部の歯車が整列し、シリンダが開く。Ｃｒｙｐｔｅｘを無理に開けようとすると、食酢を含むもろいガラス管が割れる。パピルス紙はこの管に巻き付けられており、そのため、食酢はパピルス紙を速やかに溶解し、．．．」と記述している。
【発明の概要】
【発明が解決しようとする課題】
【０００３】
新規の装置を考案した。背景技術を大幅に改良するその特性が、本発明の主題であり、その機構に特徴を有する。
【０００４】
本発明は、開けるためにコード（ｃｏｄｅ）の組合せを必要とするタイプの暗号セキュリティ装置に関する。
【課題を解決するための手段】
【０００５】
この新規の装置は、異なる特性を有するラッチ機構とラッチを活動化するための少なくとも１つの器具によって本質的に特徴付けられている。この機構は、その単純さおよび最小の空間要件ゆえに、最小のスペースで機能し、その形態または数、ラッチが閉じる向きまたは方向、あるいはそれらがアクセスを与える区画の数によって限定されない。この装置はさらに、最小のスペース内で可能な組合せの数をかなり増大させることができ、現況技術の項で述べた他の装置では使用できない多数の文字からなるアルファベットおよび／または文字体系とともに使用することができる。
【０００６】
ラッチは、その特性に応じて、１つ以上の方向および／または１つ以上の向きに作用することができ、自動的におよび／または活動化されたときにブロックすることができ、個別にまたは一緒に活動化することができる。装置の特性に応じて、ラッチを活動化するために使用されるすべての器具がすべてのラッチと整合する必要はなく、すべてのラッチがすべての空洞と整合する必要はなく、このことは、どのラッチがそれぞれの空洞と整合するか、どの器具がそれぞれのラッチと整合するか、およびそれぞれのラッチを活動化しなければならないか否かを知ることを要求する。
【０００７】
本明細書に記載した発明をよりいっそう理解できるように、本発明の暗号セキュリティ装置の実際の運用例を例示的に示す図面を添付した。
【図面の簡単な説明】
【０００８】
【図１】球体装置を示す図である。
【図２】水平および垂直に移動させることができる、ラッチを活動化するための器具の可動グループを有する２重球体装置の分離された両方の部分を示す図である。
【図３】カートリッジが取り外された球体装置の縦断面図である。
【図４】休止しているときに１つの唯一の方向にブロックし、活動化されたときにこの唯一の可能な方向にアンブロックするラッチの縦断面図である。
【図５】活動化された後の図４のラッチの縦断面図である。
【図６】休止位置にある間、両方の方向にブロックするラッチの縦断面図である。このラッチは、一方の向きに操作し、または両方の向きに同時に操作することができ、相関的にアンブロックすることができる。
【図７】活動化された後の図６のラッチの縦断面図である。
【図８】休止位置にある間、両方の方向にブロックするラッチの縦断面図である。このラッチは、両方の向きに操作することができるが、同時に操作することはできず、相関的に、１つの向きまたは別の向きにアンブロックすることができるが、両方の向きにはアンブロックすることができない。
【図９】活動化された後の図８のラッチの縦断面図である。
【図１０】休止しているときに一方向にブロックし、活動化されたときにアンブロックするが、相関的に反対方向にブロックするラッチの縦断面図である。
【図１１】活動化された後の図１０のラッチの縦断面図である。
【図１２】休止しているときに両方向にブロックするラッチの縦断面図である。このラッチは、一方の方向に活性化し、または両方の方向に同時に活性化することができ、相関的にアンブロックすることができるが、一方の向きにアンブロックしているときに、反対の向きにブロックする。
【図１３】活動化された後の図１２のラッチの縦断面図である。
【図１４】休止しているときにブロックせず、唯一の可能な向きに活動化されているときにブロックするラッチの縦断面図である。
【図１５】ラッチを活動化するためのツールが、ラッチが活動化する方向とは反対の方向にブロックする、活動化された後の図１４のラッチの縦断面図である。
【図１６】ラッチを活動化するためのツールが、ラッチが活動化する方向とは反対の方向にブロックしない、活動化された後の図１４のラッチの縦断面図である。
【図１７】休止しているときにブロックしないラッチの縦断面図である。このラッチは、一方の向きに操作し、または両方の向きに同時に操作することができ、相関的にブロックすることができる。
【図１８】活動化された後の図１７のラッチの縦断面図である。
【図１９】休止しているときにブロックしないラッチの縦断面図である。このラッチは、一方の向きまたはもう一方の向きに活動化し、ブロックすることができるが、両方の向きには活動化し、ブロックすることができない。
【図２０】活動化された後の図１９のラッチの縦断面図である。
【図２１】休止しているときに１つの唯一の向きにブロックするラッチの縦断面図である。このラッチは、一方の向きに活動化し、または両方の向きに同時に活動化することができ、一方の向きにアンブロックし、もう一方の向きにブロックする。
【図２２】活動化された後の図２１のラッチの縦断面図である。
【図２３】両方の向きにブロックする休止しているラッチの縦断面図である。このラッチは、一方の方向に活動化し、または両方の方向に同時に活動化することができ、相関的に一方の向きにアンブロックし、反対の向きにブロックし、もう一方の向きにはアンブロックするだけである。
【図２４】活動化された後の図２３のラッチの縦断面図である。
【図２５】休止しているときにブロックしないラッチの縦断面図である。このラッチは、いくつかの方向および向きに活動化することができ、それに対応して残りの方向および向きにブロックする。
【図２６】活動化された後の図２５のラッチを示す図である。
【図２７】水平、垂直および斜めに移動させることができる、ラッチを活動化するための器具の可動グループを有する球体デバイスを示す図である。
【図２８】ラッチの組合せを同時に活動化するための器具の立面図である。
【図２９】ラッチの組合せを同時に活動化するための器具の側面図である。
【発明を実施するための形態】
【０００９】
この暗号セキュリティ装置は、変更可能な形状（球、円錐、角錐など）および寸法を有する造形物を含み、その部片は、コストおよび目的ならびに装置自体に応じたさまざまな材料（プラスチック、木、金属など）から作ることができる。それらの部片の表面に金属部品を使用し、またはそれらの部片の表面に金属層を張り付けることによって、装置の内部が見えることを防ぐとともに、Ｘ線などの技法を使用して、内容物を知り、および／または内容物にアクセスするための組合せを推測することを妨げることができると考えられる。
【００１０】
以下の例によって本発明をさらに例示する。以下の例が本発明の範囲を限定することは意図されていない。
【００１１】
暗号セキュリティ装置は、所望の位置まで回転することを可能にするライディング歯車（ｒｉｄｉｎｇ  ｇｅａｒ）（２）上に取り付けられた２つの交換可能な回転リング（１）の表面領域と、ラッチ（３）を活動化するための３６０個の器具とを有する球体（図１）からなり、ラッチ（３）は、その休止状態を離れると、同じ数の空洞（５）の中に収容された伸縮自在のロッド（４）に衝突する。空洞（５）は、それらを貫くばね（６）を有する。ロッド（４）は、ラッチ（３）を活動化するために使用されるこれらの器具がやはりその休止状態を離れたときに、ラッチ（７および７ａ）のシステムに衝突する。この装置はさらに、球体の垂直軸を貫通する円筒形セクションである交換可能なカートリッジ（８）を含む。
【００１２】
ラッチ（７および７ａ）はそれぞれ、それらの特性に応じて、１つ以上の方向（ｄｉｒｅｃｔｉｏｎ）および／または１つ以上の向き（ｗａｙ）に作用することができ、自動的におよび／または活動化されたときにブロックすることができ、個別にまたは一緒に活動化することができる。
【００１３】
ラッチ（３）を活動化するために使用されるツール、またはラッチ（３ａ）を活動化するために使用される器具のグループは、スロット上に取り付けられた可動部品（９）の中に収容することができる。この場合、ロッド（４）に衝突するラッチ（３）を活動化するために使用される器具の部分、ロッド（４）自体およびロッド（４）を含む空洞（５）、カートリッジ（８）の空洞、容器（１０）の空洞、ならびにラッチ（７および７ａ）は、さまざまなサイズおよび／または形状（正方形、三角形、円形など）を有することができる。それぞれの可動部品（９）は、ラッチ（３）を活動化するツール、ロッド（４）、空洞（５）およびラッチ（７および７ａ）のサイズおよび／または形状が一致するように、正しい位置へ移動されなければならない。
【００１４】
ラッチ（３）を活動化するために使用される器具、ロッド（４）、空洞（５）、ラッチ（７および７ａ）、区画（１１）、カートリッジ（８）および容器（１０）の数およびタイプは、必要性および装置の機構のタイプ（機械、磁気、液圧、電気、電子機構など）に応じて変更することができる。
【００１５】
両端が開いており、垂直軸に対して垂直に２つに分割されたカートリッジ（８）の管状セクションであるカートリッジ（８）のフレームには、球体の穴と同じ３６０個の穴（５）があけられている。このフレームは、何かを含むことが意図された２つの容器（１０）を含み、該カートリッジ（８）のフレームはばね（１２）上に当接して配置し、容器（１０）がカートリッジ（８）のフレームから外れるようにこのばね（１２）から容器（１０）に圧力がかけられ、容器（１０）は、一体化された２つの部片、すなわち：
−  コンパクトで、その内側に位置する端部が開いた、カートリッジ（８）の管状セクションである内側部分（１３）によって構成される。この部片は、内部に流体を含む割れやすい管であるブリスタ（ｂｌｉｓｔｅｒ）（１４）を含むことができ、圧力が加わった場合、ブリスタ（１４）は割れる。
【００１６】
装置が、装置の部分的な自己破壊および／または容器（１０）の内容物の破壊を見込んでいる場合、前述の装置は、破壊される部分および／または容器（１０）の内容物を除いて、容器（１０）に含まれるブリスタ（１４）に含まれる流体の作用に対して抵抗性の材料から製造される。この流体は、装置の前述の部分および／またはそれぞれの容器（１０）の内容物を破壊するのに十分なものとされる。
【００１７】
−  その内側に位置する端部が開いており、一方の容器（１０）の１０８個の空洞（５）およびもう一方の容器（１０）の１４４個の空洞によって穴があけられた、カートリッジ（８）の管状セクションである外側部分（１３ａ）。これらの穴は、第１の容器のカートリッジ・フレーム（８）の上部の穴および第２の容器の中央部分の穴と一致する。
【００１８】
ばね（６）を含む容器の外側部分（１３ａ）のそれぞれの空洞（５）には、ラッチ（７）を配置することができ、その突起（１５）は、その目的に対して意図されたそれらの空洞（５）内の空間（１６）に適合されており、このラッチ（７）は、非活動化されている時は空洞（５）に挿入される。そのようなラッチ（７）は、非活動化されていない場合を除いてカートリッジ・フレーム（８）と整合する空洞（５）に挿入され、容器（１０）をブロックし、容器（１０）に当たるばね（１２）が、このような容器をカートリッジ・フレーム（８）から押し出すことを阻止する。
【００１９】
容器の外側部分（１３ａ）のラッチ（７）を受容するカートリッジ・フレーム（８）の空洞（５）は最初は空であり、何も受け取らない空洞（５）は、ばね（６）およびラッチ（７）を含み、ラッチ（７）の突起（１５）は、その目的のために前述の空洞（５）内の或る空間（１６）に対して適合されている。
【００２０】
ツールを押圧して、適切なラッチ（３）をその休止状態から離脱させることにより、それらのラッチ（３）を活動化すると、それらのラッチ（３）はロッド（４）に衝突し、ロッド（４）は、カートリッジ・フレーム（８）の空洞（５）に導入された容器の外側部分（１３ａ）のラッチ（７）に衝突し、ラッチ（７）をカートリッジ・フレーム（８）の空洞（５）から押し出し、容器（１０）を解放する。
【００２１】
ツールを押圧して、不適切なラッチ（３）をその休止状態から離脱させることにより、それらのラッチ（３）を活動化すると、それらのラッチ（３）はロッド（４）に衝突し、ロッド（４）は、カートリッジ・フレーム（８）の空洞（５）内に含まれるラッチ（７）に衝突し、ラッチ（７）を、容器の外側部分（１３ａ）の空洞に導入し、それらのラッチ（７）をブロックする。
【００２２】
適切なラッチ（３）を活動化するために使用されるすべての器具、および１つの容器（１０）に対して動作するラッチ（７）を活動化するラッチ（３ａ）を活動化するために使用される器具のそれぞれのグループの器具だけがその休止状態を離脱すると、前述の容器（１０）は解放され、容器（１０）が当たるばね（１２）が、容器（１０）をカートリッジ・フレーム（８）から追い出すことを可能にする。
【００２３】
これらとともに起こる容器の外側部分（１３ａ）の空洞と整合しないカートリッジ・フレーム（８）の１０８個の空洞（５）は、ばね（６）を含む。それぞれの空洞には、ラッチ（７）を配置することができ、その突起（１５）は、その目的のために意図された前述の空洞（５）内の空間（１６）に適合されている。前述のラッチは、活動化された時に空洞に挿入される。それらのラッチ（７）が出現しない空洞（５）は、この場合、突起（１５）のないゆるいラッチ（７ａ）を含む。両方のグループは最初、シール（１７）によって固定されて空洞（５）内にとどまる。
【００２４】
カートリッジ・フレーム（８）は、その外面に、カートリッジ・フレーム（８）を縦に部分的に横切るいくつかの突起（１８）を有し、これらの突起（１８）は、球体がその内部に備える同じ数のスロット（１９）にはまり込む。スロット（１９）は、突起（１８）が挿入されたときに、ある限界（２０）に到達し、シール（１７）が変位し、それによって、ラッチ（７および７ａ）が付勢して球体内の整合した空洞（５）に挿入されてブロックを生じ、それが当接し、それに圧力をかけて、それを球体から押し出すばね（２１）が、球体からそれを押し出すことを防ぎ、したがって正しい位置に設置される瞬間まで、突起（１８）を案内する。
【００２５】
ツールを押圧して、適切なラッチ（３）を活動化し、それらのラッチ（３）をその休止状態から離脱させると、これらのラッチ（３）はロッド（４）に衝突し、ロッド（４）は、球体と整合した空洞（５）に挿入されたカートリッジのフレームのラッチ（７）に衝突し、球体からラッチ（７）を押し出し、カートリッジ・フレーム（８）を解放する。
【００２６】
ツールを押圧して、不適切なラッチ（３）を活動化して、それらのラッチ（３）をその休止状態から離脱させると、これらのラッチ（３）はロッド（４）に衝突し、ロッド（４）は、球体の空洞（５）に導入されたゆるいラッチ（７ａ）に衝突し、それらのラッチ（７ａ）を、カートリッジ・フレーム（８）と整合した空洞（５）に導入して、カートリッジ・フレーム（８）をブロックする。
【００２７】
適切なラッチ（３）を活動化するために使用されるすべての器具、およびカートリッジ・フレーム（８）に対して作用するラッチ（７および７ａ）を活動化するラッチ（３ａ）を活動化するために使用される器具のそれぞれのグループの器具だけがその休止状態を離脱すると、カートリッジ・フレーム（８）は解放され、カートリッジ・フレーム（８）が当たるばね（２１）が、カートリッジ・フレーム（８）を球体から押し出すことを可能にする。
【００２８】
あるケースでは、上記装置は、異なる特性を有するラッチ（７）によって接合されるいくつかの装置（図２）からなることができる。これらのケースでは、可動部品（９）の幾つかは、異なる特性の構成要素を備え、それらのそれぞれが、装置（図２）に接続したラッチ（７）の一つとだけ適合して、そのラッチと衝突してそのラッチ（７）を収容した空洞（５）からそのラッチ（７）を追い出すことができるようにされる。前述のすべての部片（９）が正しい位置に置かれ、その全部品が、装置（図２）と結合した全てのラッチ（７）を、該ラッチを収容した空洞（５）から追い出したとき、これらを分離することができる。
【００２９】
装置（図１）の表面およびそのいくつかの部分、または球体の表面の２つの交換可能な回転リング（１）に、その特性および目的に応じて、あらゆる種類の文字、数字、画像および記号（２２）、ならびに装置（図１）に適用可能な同等物（２３）を組合せて印刷または刻印して表示することができる。
【００３０】
装置（図１、２および２７）の設置を容易にするため、装置のいくつかの部分の整合した空洞（５）に、同じ図形文字を印刷または刻印することができる。
【図１】
2011511181.tif 000003
【図２】
2011511181.tif 000004
【図３】
2011511181.tif 000005
【図４】
2011511181.tif 000006
【図５】
2011511181.tif 000007
【図６】
2011511181.tif 000008
【図７】
2011511181.tif 000009
【図８】
2011511181.tif 000010
【図９】
2011511181.tif 000011
【図１０】
2011511181.tif 000012
【図１１】
2011511181.tif 000013
【図１２】
2011511181.tif 000014
【図１３】
2011511181.tif 000015
【図１４】
2011511181.tif 000016
【図１５】
2011511181.tif 000017
【図１６】
2011511181.tif 000018
【図１７】
2011511181.tif 000019
【図１８】
2011511181.tif 000020
【図１９】
2011511181.tif 000021
【図２０】
2011511181.tif 000022
【図２１】
2011511181.tif 000023
【図２２】
2011511181.tif 000024
【図２３】
2011511181.tif 000025
【図２４】
2011511181.tif 000026
【図２５】
2011511181.tif 000027
【図２６】
2011511181.tif 000028
【図２７】
2011511181.tif 000029
【図２８】
2011511181.tif 000030
【図２９】
2011511181.tif 000031
【国際調査報告】
2011511181.tif 000032
2011511181.tif 000033
2011511181.tif 000034
2011511181.tif 000035
2011511181.tif 000036
2011511181.tif 000037